(57)【要約】【課題】小型化を図りながらも、逆電圧による接続対象機器の故障を抑制することが可能で、かつ、逆電圧であることを通知可能な接続装置、照明装置、照明器具、及び照明システムを提供することである。【解決手段】接続装置１０は、一対の第１接続端子１ａ，１ｂと、一対の第２接続端子２ａ，２ｂと、第１保護素子５と、第２保護素子６とを備える。また、接続装置１０は、一対の第１接続端子１ａ，１ｂに印加される直流電圧Ｖ１が逆電圧か否かを判定する判定部４と、判定部４により直流電圧Ｖ１が逆電圧であると判定されたときに通知する通知部７とを備える。第１保護素子５は、直流電圧Ｖ１が逆電圧のときに、一対の第１接続端子１ａ，１ｂ間に電流を流す経路を形成する。第２保護素子６は、直流電圧Ｖ１が逆電圧であれば非導通状態になり、直流電圧Ｖ１が逆電圧でなければ導通状態になる。第１保護素子５は、判定部４及び通知部７に兼用されている。【選択図】図１
2017121134.tif 000002
【特許請求の範囲】
【請求項１】
極性が決まっている一対の第１接続端子と、前記一対の第１接続端子にそれぞれ電気的に接続された一対の第２接続端子と、前記一対の第１接続端子間に電気的に接続された第１保護素子と、前記第１保護素子と前記一対の第２接続端子との間に電気的に接続された第２保護素子と、前記一対の第１接続端子に印加される直流電圧が前記極性とは逆極性の電圧である逆電圧か否かを判定する判定部と、前記判定部により前記直流電圧が前記逆電圧であると判定されたときに通知する通知部とを備え、
前記第１保護素子は、前記直流電圧が前記逆電圧であるときに、前記一対の第１接続端子間に電流を流す経路を形成するように構成され、
前記第２保護素子は、前記直流電圧が前記逆電圧であれば非導通状態になり、前記直流電圧が前記逆電圧でなければ導通状態になるように構成され、
前記第１保護素子は、前記判定部及び前記通知部に兼用されている
接続装置。
【請求項２】
前記第１保護素子には、前記第１保護素子への突入電流を抑制する限流素子が電気的に直列接続されている
請求項１記載の接続装置。
【請求項３】
前記第１保護素子は、ＬＥＤである
請求項１または請求項２記載の接続装置。
【請求項４】
請求項１ないし請求項３のいずれか１項に記載の接続装置と、光源を有する発光装置とを備えている
照明装置。
【請求項５】
前記接続装置は、前記発光装置に内蔵されている
請求項４記載の照明装置。
【請求項６】
請求項４または請求項５記載の照明装置と、前記照明装置を保持する筐体とを備えている
照明器具。
【請求項７】
請求項６記載の照明器具と、前記照明器具に前記直流電圧を印加する電源装置とを備えている
照明システム。
【請求項８】
請求項６記載の照明器具を、複数台備えている
照明システム。
【請求項９】
複数台の前記照明器具は、互いに電気的に接続され、
複数台の前記照明器具の各々の前記接続装置は、前記判定部である第１判定部と、前記第１判定部の判定結果である第１判定結果を検出する検出部と、前記検出部により検出された前記第１判定結果を含む信号である第１信号を後段の前記照明器具に送信する送信部と、前段の前記照明器具の前記送信部から送信された信号である第２信号を受信する受信部と、前段の前記照明器具の前記送信部から送信された前記第２信号が後段の前記照明器具に伝達されることを防ぐフィルタと、前記検出部により検出された前記第１判定結果と前記受信部で受信された前記第２信号に含まれる前記判定結果である第２判定結果とに基づいて、前記一対の第１接続端子への配線状態に誤りがあるか否かを判定する第２判定部と、前記通知部である第１通知部と、前記第２判定部により前記一対の第１接続端子への配線状態に誤りがあると判定されたときに通知する第２通知部と、前記一対の第１接続端子にそれぞれ直接的に接続された一対の第３接続端子とを備え、
複数台の前記照明器具の各々の前記一対の第３接続端子は、別の前記照明器具の前記一対の第１接続端子と電気的に接続されている
請求項８記載の照明システム。
【発明の詳細な説明】
【技術分野】
【０００１】
本発明は、接続装置、照明装置、照明器具、及び照明システムに関する。
【背景技術】
【０００２】
従来、配線工事での誤接続による直流配電機器（接続対象機器）の破損を防止する入力保護装置が提案されている（特許文献１）。
【０００３】
特許文献１記載の入力保護装置は、直流電源を接続する電源端子と、電源端子に並列接続された直流電圧検知手段と、電源端子と負荷回路との間に直列接続された切換え手段と、切換え手段に並列接続された交流半波電圧防止手段とを備えている。
【０００４】
直流電圧検知手段は、直流電源の極性が正常に接続された場合に検知する。切換え手段は、直流電圧検知手段の検知信号により負荷回路への電圧供給を開閉できる接点を有している。交流半波電圧防止手段は、抵抗とダイオードとの直列回路である。ダイオードは、直流電源の極性が逆に接続された場合に、負荷回路に電流が流れないように接続されている。
【０００５】
また、特許文献１記載の入力保護装置は、直流電源の極性が逆に接続された場合に施工者に表示する直流逆電圧表示手段を、さらに備えている。
【先行技術文献】
【特許文献】
【０００６】
【特許文献１】特開２０１１−１６０５６０号公報
【発明の概要】
【発明が解決しようとする課題】
【０００７】
特許文献１記載の入力保護装置では、直流電源の極性が逆に接続された場合（直流電圧が逆電圧である場合）、交流半波電圧防止手段のダイオードにて負荷回路に電流が流れないようにするために、切換え手段が負荷回路への電圧供給を遮断する必要がある。すなわち、特許文献１記載の入力保護装置では、切換え手段が必須となるので、小型化を図ることが難しい。
【０００８】
本発明は、上述の事由に鑑みてなされ、本発明の目的は、小型化を図りながらも、逆電圧による接続対象機器の故障を抑制することが可能で、かつ、逆電圧であることを通知可能な接続装置、照明装置、照明器具、及び照明システムを提供することである。
【課題を解決するための手段】
【０００９】
本発明の一態様に係る接続装置は、極性が決まっている一対の第１接続端子と、前記一対の第１接続端子にそれぞれ電気的に接続された一対の第２接続端子と、前記一対の第１接続端子間に電気的に接続された第１保護素子とを備えている。また、前記接続装置は、前記第１保護素子と前記一対の第２接続端子との間に電気的に接続された第２保護素子と、前記一対の第１接続端子に印加される直流電圧が前記極性とは逆極性の電圧である逆電圧か否かを判定する判定部とを備えている。さらに、前記接続装置は、前記判定部により前記直流電圧が前記逆電圧であると判定されたときに通知する通知部を備えている。前記第１保護素子は、前記直流電圧が前記逆電圧であるときに、前記一対の第１接続端子間に電流を流す経路を形成するように構成されている。前記第２保護素子は、前記直流電圧が前記逆電圧であればであれば非導通状態になり、前記直流電圧が前記逆電圧でなければ導通状態になるように構成されている。前記第１保護素子は、前記判定部及び前記通知部に兼用されている。
【００１０】
本発明の一態様に係る照明装置は、前記接続装置と、光源を有する発光装置とを備えている。
【００１１】
本発明の一態様に係る照明器具は、前記照明装置と、前記照明装置を保持する筐体とを備えている。
【００１２】
本発明の一態様に係る照明システムは、前記照明器具と、前記照明器具に前記直流電圧を印加する電源装置とを備えている。
【発明の効果】
【００１３】
本発明の接続装置、照明装置、照明器具、及び照明システムでは、小型化を図りながらも、逆電圧による接続対象機器の故障を抑制することが可能で、かつ、逆電圧であることを通知可能になる。
【図面の簡単な説明】
【００１４】
【図１】本発明の実施形態１に係る接続装置の回路図である。
【図２】同上の接続装置を備えた照明システムのブロック図である。
【図３】本発明の実施形態２に係る接続装置の回路図である。
【図４】同上の接続装置を備えた照明システムの使用例を示すブロック図である。
【図５】同上の照明システムの他の使用例を示すブロック図である。
【発明を実施するための形態】
【００１５】
以下の実施形態は、接続装置、照明装置、照明器具、及び照明システムに関し、より詳細には、接続対象機器を電気的に接続する接続装置、照明装置、照明器具、及び照明システムに関する。
【００１６】
（実施形態１）
以下、実施形態１の接続装置１０について、図１及び図２を参照しながら説明する。
【００１７】
接続装置１０は、後述の電源装置２１（図２参照）から直流電圧Ｖ１が印加されるように構成されている。接続装置１０は、図１に示すように、第１接続部１と、第２接続部２と、第３接続部３と、判定部（第１判定部）４と、第１保護素子５と、第２保護素子６と、通知部（第１通知部）７と、限流素子８とを備えている。限流素子８は、第１判定部４への突入電流を抑制するように構成されている。例えば、限流素子８は、抵抗である。
【００１８】
第１接続部１は、一対の第１接続端子１ａ，１ｂを有している。第１接続部１は、端子台である。一対の第１接続端子１ａ，１ｂの各々は、速結端子である。一対の第１接続端子１ａ，１ｂは、後述の一対の第１電線６１ａ，６１ｂを介して、電源装置２１と電気的に接続される。一対の第１接続端子１ａ，１ｂには、直流電圧Ｖ１が印加される。直流電圧Ｖ１の電圧値は、例えば、２４Ｖである。一対の第１接続端子１ａ，１ｂは、極性が決まっている。本実施形態では、第１接続端子１ａが正極であり、第１接続端子１ｂがグランドである。
【００１９】
第２接続部２は、一対の第２接続端子２ａ，２ｂを有している。第２接続部２は、端子台である。一対の第２接続端子２ａ，２ｂの各々は、速結端子である。一対の第２接続端子２ａ，２ｂは、一対の第１接続端子１ａ，１ｂにそれぞれ直接的または間接的に接続されている。言い換えれば、一対の第２接続端子２ａ，２ｂは、一対の第１接続端子１ａ，１ｂにそれぞれ電気的に接続されている。具体的には、第２接続端子２ａは、第１接続端子１ａと電気的に接続されている。第２接続端子２ｂは、第２保護素子６を介して、第１接続端子１ｂと電気的に接続されている。一対の第２接続端子２ａ，２ｂには、一対の第１接続端子１ａ，１ｂに印加された直流電圧Ｖ１が印加される。
【００２０】
一対の第２接続端子２ａ，２ｂは、後述の一対の電線６０ａ，６０ｂを介して、後述の発光装置３１と電気的に接続される。なお、本実施形態では、発光装置３１が、接続対象機器である。
【００２１】
第３接続部３は、一対の第３接続端子３ａ，３ｂを有している。第３接続部３は、コネクタである。一対の第３接続端子３ａ，３ｂの各々は、接続ピンである。一対の第３接続端子３ａ，３ｂは、一対の第１接続端子１ａ，１ｂにそれぞれ直接的に接続されている。具体的には、第３接続端子３ａは、第１接続端子１ａと電気的に接続されている。第３接続端子３ｂは、第１接続端子１ｂと電気的に接続されている。一対の第３接続端子３ａ，３ｂには、一対の第１接続端子１ａ，１ｂに印加された直流電圧Ｖ１が印加される。
【００２２】
一対の第３接続端子３ａ，３ｂは、後述の一対の第２電線６２ａ，６２ｂを介して、他の接続装置１０と電気的に接続される。
【００２３】
第１判定部４は、一対の第１接続端子１ａ，１ｂに印加される直流電圧Ｖ１が逆極性の電圧（逆電圧）であるか否かを判定するように構成されている。第１判定部４は、ＬＥＤ（Light Emitting Diode）である。第１判定部４のアノードは、第１接続端子１ｂと電気的に接続されている。第１判定部４のカソードは、限流素子８を介して、第１接続端子１ａと電気的に接続されている。また、第１判定部４のカソードは、限流素子８を介して、第２接続端子２ａと電気的に接続されている。本実施形態では、第１接続端子１ａが高電位で、かつ、第１接続端子１ｂが低電位である場合に、直流電圧Ｖ１が正しい極性の電圧となる。また、本実施形態では、第１接続端子１ａが低電位で、かつ、第１接続端子１ｂが高電位である場合に、直流電圧Ｖ１が逆極性の電圧となる。
【００２４】
一対の第１接続端子１ａ，１ｂに印加された直流電圧Ｖ１が逆電圧でない場合（一対の第１接続端子１ａ、１ｂに印加された直流電圧Ｖ１の極性が正しい場合）、第１判定部４に電流が流れない。また、一対の第１接続端子１ａ，１ｂに印加された直流電圧Ｖ１が逆電圧である場合、第１判定部４に電流が流れる。つまり、第１判定部４は、第１判定部４に電流が流れたか否かによって、直流電圧Ｖ１が逆電圧であるか否かを判定する。
【００２５】
第１保護素子５は、一対の第１接続端子１ａ，１ｂ間に電気的に接続されている。第１保護素子５は、一対の第１接続端子１ａ，１ｂに印加された直流電圧Ｖ１が逆電圧であるときに、一対の第１接続端子１ａ，１ｂ間に電流を流す経路を形成するように構成されている。本実施形態では、第１判定部４が、第１保護素子５の機能を有している。すなわち、本実施形態では、第１保護素子５が第１判定部４に兼用されている。
【００２６】
一対の第１接続端子１ａ，１ｂに印加された直流電圧Ｖ１が逆電圧でない場合、第１保護素子５に電流が流れない。また、一対の第１接続端子１ａ，１ｂに印加された直流電圧Ｖ１が逆電圧である場合、第１保護素子５に電流が流れる。これにより、直流電圧Ｖ１が逆電圧である場合、第２接続部２には、電流が流れない。
【００２７】
第２保護素子６は、第１保護素子５と一対の第２接続端子２ａ，２ｂとの間に電気的に接続されている。第２保護素子６は、一対の第１接続端子１ａ，１ｂに印加された直流電圧Ｖ１が逆電圧であれば非導通状態になり、直流電圧Ｖ１が逆電圧でなければ導通状態になるように構成されている。第２保護素子６は、逆流防止用のダイオードである。
【００２８】
第２保護素子６のアノードは、第２接続端子２ｂと電気的に接続されている。第２保護素子６のカソードは、第１判定部４のアノードと電気的に接続されている。言い換えれば、第２保護素子６は、第１判定部４と第２接続部２との間の電路に設けられている。
【００２９】
一対の第１接続端子１ａ，１ｂに印加された直流電圧Ｖ１が逆電圧でない場合、第２保護素子６が導通状態となる。また、一対の第１接続端子１ａ，１ｂに印加された直流電圧Ｖ１が逆電圧である場合、第２保護素子６が非導通状態となる。これにより、直流電圧Ｖ１が逆電圧である場合、第２接続部２には、電流が流れない。
【００３０】
第１通知部７は、第１判定部４により直流電圧Ｖ１が逆電圧であると判定されたときに通知するように構成されている。本実施形態では、第１保護素子５が、第１通知部７の機能も有している。すなわち、本実施形態では、第１保護素子５が、第１判定部４と第１通知部７とに兼用されている。
【００３１】
一対の第１接続端子１ａ，１ｂに印加された直流電圧Ｖ１が逆電圧でない場合、第１通知部７に電流が流れないので、第１通知部７は点灯しない。また、一対の第１接続端子１ａ，１ｂに印加された直流電圧Ｖ１が逆電圧である場合、第１通知部７に電流が流れるので、第１通知部７は点灯する。つまり、第１通知部７が点灯するか否かによって、第１通知部７は、直流電圧Ｖ１が逆電圧であるか否かを通知する。
【００３２】
以下、一対の第１接続端子１ａ，１ｂに直流電圧Ｖ１が印加された場合の接続装置１０に流れる電流の経路を説明する。
【００３３】
接続装置１０では、一対の第１接続端子１ａ，１ｂに印加された直流電圧Ｖ１が逆電圧でない場合、第１接続端子１ａ、第２接続端子２ａ、発光装置３１、第２接続端子２ｂ、第２保護素子６、第１接続端子１ｂの経路で電流が流れる。
【００３４】
また、接続装置１０では、一対の第１接続端子１ａ，１ｂに印加された直流電圧Ｖ１が逆電圧である場合、第１接続端子１ｂ、第１判定部４、第１保護素子５及び第１通知部７、限流素子８、第１接続端子１ａの経路で電流が流れる。これにより、接続装置１０では、第１保護素子５及び第２保護素子６により第２接続部２に逆電圧が印加されないので、第２接続部２に電気的に接続された接続対象機器（発光装置３１）の故障を抑制することが可能になる。すなわち、接続装置１０では、逆電圧による接続対象機器の故障を抑制することが可能になる。また、接続装置１０では、第１通知部７に電流が流れて第１通知部７が点灯するので、直流電圧Ｖ１が逆電圧であることを通知可能になる。言い換えれば、接続装置１０では、一対の第１接続端子１ａ，１ｂに印加された直流電圧Ｖ１の極性が逆であることを、配線工事を行う作業者（施工者）等の人に知らせることが可能になる。よって、接続装置１０では、一対の第１接続端子１ａ，１ｂに印加された直流電圧Ｖ１が逆電圧である場合、逆電圧による接続対象機器（発光装置３１）の故障を抑制することが可能で、かつ、直流電圧Ｖ１が逆電圧であることを通知可能になる。
【００３５】
ところで、特許文献１記載の入力保護装置では、上述のように、切換え手段が必須となる。また、特許文献１記載の入力保護装置では、直流電圧検知手段と、交流半波電圧防止手段と、直流逆電圧表示手段とが、別体に構成されている。よって、特許文献１記載の入力保護装置では、小型化を図ることが難しい。
【００３６】
一方、本実施形態の接続装置１０では、第１保護素子５が、第１判定部４及び第１通知部７に兼用されているので、特許文献１記載の入力保護装置に比べて、小型化を図ることが可能になる。よって、接続装置１０では、小型化を図りながらも、逆電圧による接続対象機器の故障を抑制することが可能で、かつ、逆電圧であることを通知可能になる。また、接続装置１０では、特許文献１記載の入力保護装置に比べて、小型化を図ることが可能であるがゆえに、接続対象機器への内蔵も容易となる。
【００３７】
以上説明したように、本実施形態の接続装置１０は、極性が決まっている一対の第１接続端子１ａ，１ｂと、一対の第１接続端子１ａ，１ｂにそれぞれ電気的に接続された一対の第２接続端子２ａ，２ｂとを備えている。また、接続装置１０は、一対の第１接続端子１ａ，１ｂ間に電気的に接続された第１保護素子５と、第１保護素子５と一対の第２接続端子２ａ，２ｂとの間に電気的に接続された第２保護素子６とを備えている。さらに、接続装置１０は、一対の第１接続端子１ａ，１ｂに印加される直流電圧Ｖ１が上記極性とは逆極性の電圧である逆電圧か否かを判定する判定部４と、判定部４により直流電圧Ｖ１が逆電圧であると判定されたときに通知する通知部７とを備えている。第１保護素子５は、直流電圧Ｖ１が逆電圧であるときに、一対の第１接続端子１ａ，１ｂ間に電流を流す経路を形成するように構成されている。第２保護素子６は、直流電圧Ｖ１が逆電圧であれば非導通状態になり、直流電圧Ｖ１が逆電圧でなければ導通状態になるように構成されている。第１保護素子５は、判定部４及び通知部７に兼用されている。
【００３８】
この構成によれば、本実施形態の接続装置１０では、直流電圧Ｖ１が逆電圧である場合、第１保護素子５及び第２保護素子６により一対の第２接続端子２ａ，２ｂに逆電圧が印加されないので、逆電圧による接続対象機器の故障を抑制することが可能になる。また、接続装置１０では、直流電圧Ｖ１が逆電圧である場合、第１通知部７に電流が流れるので、直流電圧Ｖ１が逆電圧であることを通知可能になる。さらに、接続装置１０では、第１保護素子５が、第１判定部４及び第１通知部７に兼用されているので、特許文献１記載の入力保護装置に比べて、小型化を図ることが可能になる。よって、接続装置１０では、小型化を図りながらも、逆電圧による接続対象機器の故障を抑制することが可能で、かつ、逆電圧であることを通知可能になる。
【００３９】
第１保護素子５には、上述のように、第１保護素子５への突入電流を抑制する限流素子８が電気的に直列接続されていることが好ましい。
【００４０】
この構成によれば、本実施形態の接続装置１０では、第１保護素子５の故障を抑制することが可能になる。
【００４１】
第１保護素子５は、上述のように、ＬＥＤであることが好ましい。
【００４２】
この構成によれば、本実施形態の接続装置１０では、例えば、第１保護素子５がブザーである場合に比べて、第１保護素子６の占有面積を比較的小さくすることが可能となり、より小型化を図ることが可能になる。
【００４３】
なお、接続装置１０は、限流素子８を備えているが、限流素子８を備えていなくてもよい。限流素子８は、抵抗に限らず、例えば、インダクタ等であってもよい。
【００４４】
第１保護素子５は、ＬＥＤに限らず、例えば、ブザーまたはスピーカ等であってもよい。また、第１保護素子５は、例えば、バイブレータ等であってもよい。
【００４５】
第１接続部１及び第３接続部３の各々は、端子台に限らず、例えば、コネクタであってもよい。第２接続部２は、コネクタに限らず、例えば、端子台であってもよい。
【００４６】
第２保護素子６は、第２接続端子２ｂと、第１判定部４のアノードとの間の電路に設けられているが、この位置に限らない。第２保護素子６は、第２接続端子２ａと、限流素子８の一端との間の電路に設けられていてもよい。詳細に説明すると、第２保護素子６のアノードは、限流素子８を介して、第１判定部４のカソードと電気的に接続される。第２保護素子６のカソードは、第２接続端子２ａと電気的に接続される。
【００４７】
また、第２保護素子６は、逆流防止用のダイオードに限らず、例えば、半導体スイッチ等であってもよい。この場合、接続装置１０は、第１判定部４により直流電圧Ｖ１が逆電圧でないと判定されたときに半導体スイッチをオン状態にし、第１判定部４により直流電圧Ｖ１が逆電圧であると判定されたときに半導体スイッチをオフ状態にする。
【００４８】
直流電圧Ｖ１の電圧値は、２４Ｖに限らず、３６Ｖまたは４２Ｖであってもよい。つまり、直流電圧Ｖ１の電圧値は、５０Ｖ未満であればよい。
【００４９】
以下、接続装置１０を備えた照明装置３０について、図２に基づいて説明する。
【００５０】
照明装置３０は、接続装置１０に加えて、発光装置３１を備えている。発光装置３１は、光源３２と、点灯回路３３とを備えている。光源３２は、複数の固体発光素子を有している。複数の固体発光素子の各々は、ＬＥＤである。複数の固体発光素子の電気的な接続関係は、直列接続である。点灯回路３３は、光源３２を点灯させるように構成されている。点灯回路３３は、例えば、降圧チョッパ回路である。
【００５１】
発光装置３１は、接続装置１０の第２接続部２と電気的に接続されている。具体的には、発光装置３１は、一対の電線６０ａ，６０ｂを介して、一対の第２接続端子２ａ，２ｂと電気的に接続されている。
【００５２】
以上説明したように、本実施形態の照明装置３０は、接続装置１０と、光源３２を有する発光装置３１とを備えている。
【００５３】
この構成によれば、本実施形態の照明装置３０は、接続装置１０を備えているので、小型化を図りながらも、逆電圧による接続対象機器の故障を抑制することが可能で、かつ、逆電圧であることを通知可能になる。
【００５４】
接続装置１０は、発光装置３１に内蔵されていることが好ましい。
【００５５】
この構成によれば、本実施形態の照明装置３０では、接続装置１０を備えた発光装置３１を提供することができる。
【００５６】
なお、複数の固体発光素子の各々は、ＬＥＤに限らず、例えば、有機エレクトロルミネッセンス素子等であってもよい。固体発光素子の数は、複数に限らず、１つであってもよい。複数の固体発光素子の電気的な接続関係は、直列接続であるが、この接続に限らない。複数の固体発光素子の電気的な接続関係は、並列接続であってもよいし、直列接続と並列接続とを組み合わせた接続であってもよい。
【００５７】
点灯回路３３は、降圧チョッパ回路に限らず、例えば、昇圧チョッパ回路または昇降圧チョッパ回路であってもよい。また、点灯回路３３は、光源３２を調光するように構成されていてもよい。
【００５８】
以下、照明装置３０を備えた照明器具４０について、図２に基づいて説明する。
【００５９】
照明器具４０は、ダウンライトである。照明器具４０は、照明装置３０に加えて、透光部材３４と、筐体３５とを備えている。透光部材３４は、発光装置３１の光源３２から放射された光を透過させる。透光部材３４は、例えば、レンズである。筐体３５は、照明装置３０及び透光部材３４を保持する。筐体３５は、有底筒状に形成されている。また、筐体３５は、導電性を有している。
【００６０】
以上説明したように、本実施形態の照明器具４０は、照明装置３０と、照明装置３０を保持する筐体３５とを備えている。
【００６１】
この構成によれば、本実施形態の照明器具４０は、接続装置１０を有する照明装置３０を備えているので、小型化を図りながらも、逆電圧による接続対象機器の故障を抑制することが可能で、かつ、逆電圧であることを通知可能になる。
【００６２】
なお、照明器具４０は、透光部材３４を備えているが、透光部材３４を備えていなくてもよい。透光部材３４は、レンズに限らず、カバーであってもよい。照明器具４０は、ダウンライトに限らず、例えば、スポットライト等であってもよい。
【００６３】
以下、照明器具４０を備えた照明システム１００について、図２に基づいて説明する。
【００６４】
照明システム１００は、４台の照明器具４０と、電源装置２１とを備えている。
【００６５】
４台の照明器具４０は、第１照明器具４０ａ、第２照明器具４０ｂ、第３照明器具４０ｃ及び第４照明器具４０ｄである。第１照明器具４０ａ、第２照明器具４０ｂ、第３照明器具４０ｃ及び第４照明器具４０ｄは、互いに電気的に接続されている。
【００６６】
第１照明器具４０ａは、一対の第１電線６１ａ，６１ｂを介して、電源装置２１と電気的に接続されている。具体的には、第１照明器具４０ａの接続装置１０における一対の第１接続端子１ａ，１ｂは、それぞれ一対の第１電線６１ａ，６１ｂを介して、電源装置２１と電気的に接続されている。
【００６７】
第２照明器具４０ｂは、一対の第２電線６２ａ，６２ｂを介して、第１照明器具４０ａと電気的に接続されている。具体的には、第２照明器具４０ｂの接続装置１０における一対の第１接続端子１ａ，１ｂは、それぞれ一対の第２電線６２ａ，６２ｂを介して、第１照明器具４０ａの接続装置１０における一対の第３接続端子３ａ，３ｂと電気的に接続されている。
【００６８】
第３照明器具４０ｃは、一対の第３電線６３ａ，６３ｂを介して、第２照明器具４０ｂと電気的に接続されている。具体的には、第３照明器具４０ｃの接続装置１０における一対の第１接続端子１ａ，１ｂは、それぞれ一対の第３電線６３ａ，６３ｂを介して、第２照明器具４０ｂの接続装置１０における一対の第３接続端子３ａ，３ｂと電気的に接続されている。
【００６９】
第４照明器具４０ｄは、一対の第４電線６４ａ，６４ｂを介して、第３照明器具４０ｃと電気的に接続されている。具体的には、第４照明器具４０ｄの接続装置１０における一対の第１接続端子１ａ，１ｂは、それぞれ一対の第４電線６４ａ，６４ｂを介して、第３照明器具４０ｃの接続装置１０における一対の第３接続端子３ａ，３ｂと電気的に接続されている。
【００７０】
第１照明器具４０ａ、第２照明器具４０ｂ、第３照明器具４０ｃ及び第４照明器具４０ｄは、同じ構成及び機能を有している。なお、以下では、第１照明器具４０ａ、第２照明器具４０ｂ、第３照明器具４０ｃ及び第４照明器具４０ｄを特に区別しない場合、「照明器具４０」として説明する。
【００７１】
電源装置２１は、照明器具４０に直流電圧Ｖ１を印加するように構成されている。電源装置２１は、ＡＣ／ＤＣコンバータと、ＤＣ／ＤＣコンバータとを備えている。ＡＣ／ＤＣコンバータは、交流電源（例えば、商用電源）に対して電気的に並列接続されている。ＤＣ／ＤＣコンバータは、ＡＣ／ＤＣコンバータに対して電気的に並列接続されている。ＤＣ／ＤＣコンバータは、一対の第１電線６１ａ，６１ｂを介して、第１照明器具４０ａの接続装置１０における一対の第１接続端子１ａ，１ｂと電気的に接続されている。電源装置２１から照明器具４０への配電は、直流配電である。
【００７２】
以上説明したように、本実施形態の照明システム１００は、照明器具４０と、照明器具４０に直流電圧Ｖ１を印加する電源装置２１とを備えている。
【００７３】
この構成によれば、本実施形態の照明システム１００は、接続装置１０を有する照明器具４０を備えているので、小型化を図りながらも、逆電圧による接続対象機器の故障を抑制することが可能で、かつ、逆電圧であることを通知可能になる。
【００７４】
また、本実施形態の照明システム１００は、照明器具４０を、複数台（図２では、４台）備えている。
【００７５】
この構成によっても、本実施形態の照明システム１００は、接続装置１０を有する照明器具４０を備えているので、小型化を図りながらも、逆電圧による接続対象機器の故障を抑制することが可能で、かつ、逆電圧であることを通知可能になる。
【００７６】
なお、照明システム１００は、電源装置２１を備えているが、電源装置２１を備えていなくてもよい。また、照明システム１００は、４台の照明器具４０を備えているが、これに限らない。照明システム１００は、５台以上の照明器具４０を備えていてもよし、３台以下の照明器具４０を備えていてもよい。すなわち、照明システム１００は、１台または複数台の照明器具４０を備えていればよい。
【００７７】
電源装置２１は、ＡＣ／ＤＣコンバータと、ＤＣ／ＤＣコンバータとを備えた構成であるが、この構成に限らない。電源装置２１は、例えば、直流電源であってもよい。
【００７８】
（実施形態２）
以下、実施形態２の接続装置１０Ａについて、図３に基づいて説明する。実施形態２の接続装置１０Ａの基本構成は、実施形態１の接続装置１０と同じである。ただし、実施形態２の接続装置１０Ａは、検出部９と、送信部１１と、受信部１２と、フィルタ１３と、第２判定部１４と、第２通知部１５とをさらに備えている点が、実施形態１の接続装置１０と相違する。なお、本実施形態では、実施形態１の接続装置１０と同様の構成要素に同一の符号を付して説明を適宜省略する。また、本実施形態では、実施形態１の接続装置１０との相違点のみを説明する。接続装置１０Ａは、実施形態１の照明装置３０、照明器具４０及び照明システム１００に適用される。以下では、説明の便宜上、第２照明器具４０ｂの接続装置１０Ａについて説明する。
【００７９】
検出部９は、第１判定部４の判定結果を検出するように構成されている。検出部９は、電圧検出回路１６と、第１信号出力回路１７と、電源回路１８とを備えている。
【００８０】
電圧検出回路１６は、限流素子８の両端電圧を検出するように構成されている。第１判定部４により直流電圧Ｖ１が逆電圧でないと判定されたとき、限流素子８に電流が流れないので、限流素子８の両端に電圧が発生しない。また、第１判定部４により直流電圧Ｖ１が逆電圧であると判定されたとき、限流素子８に電流が流れるので、限流素子８の両端に電圧が発生する。
【００８１】
また、電圧検出回路１６は、限流素子８の両端電圧が閾値電圧以上であるか否かを判定するように構成されている。これにより、検出部９は、限流素子８の両端電圧に基づいて、第１判定部４の判定結果（第１判定結果）を検出することができる。
【００８２】
第１信号出力回路１７は、電圧検出回路１６の検出結果に基づいた第１検出信号Ｓ１を送信部１１及び第２判定部１４に出力するように構成されている。第１検出信号Ｓ１は、信号レベルがハイレベルとローレベルとの２値信号により構成されている。
【００８３】
また、第１信号出力回路１７は、電圧検出回路１６の検出結果に基づいて、第１検出信号Ｓ１の信号レベルを変化させる。具体的には、第１信号出力回路１７は、電圧検出回路１６により限流素子８の両端電圧が閾値電圧未満であると判定された場合、第１検出信号Ｓ１の信号レベルをローレベルとする。また、第１信号出力回路１７は、電圧検出回路１６により限流素子８の両端電圧が閾値電圧以上であると判定された場合、第１検出信号Ｓ１の信号レベルをローレベルからハイレベルに変化させる。
【００８４】
電源回路１８は、電圧検出回路１６及び第１信号出力回路１７等を動作させる電圧（動作電圧）を、電圧検出回路１６及び第１信号出力回路１７に供給するように構成されている。また、電源回路１８は、一対の第１接続端子１ａ，１ｂに印加された直流電圧Ｖ１から動作電圧を生成するように構成されている。電源回路１８は、例えば、３端子レギュレータ等である。動作電圧の電圧値は、例えば、５Ｖである。また、電源回路１８は、動作電圧を送信部１１及び第２判定部１４に供給するように構成されている。なお、図３では、電源回路１８と、送信部１１、第２判定部１４及び第２通知部１５とが電気的に接続されていることを示す線の図示を省略している。
【００８５】
送信部１１は、第１信号出力回路１７から出力された第１検出信号Ｓ１の信号レベルに基づいて、第１判定信号Ｓ２を後段の第３照明器具４０ｃに送信するように構成されている。具体的には、送信部１１は、第１検出信号Ｓ１の信号レベルがハイレベルのとき、第１判定信号Ｓ２を第３照明器具４０ｃに送信する。また、送信部１１は、第１検出信号Ｓ１の信号レベルがローレベルのとき、第１判定信号Ｓ２を第３照明器具４０ｃに送信しない。本実施形態では、送信部１１は、第１検出信号Ｓ１の信号レベルがハイレベルのとき、一対の第３接続端子３ａ，３ｂに印加される直流電圧Ｖ１に第１判定信号Ｓ２を含ませる。また、本実施形態では、送信部１１は、第１検出信号Ｓ１の信号レベルがローレベルのとき、一対の第３接続端子３ａ，３ｂに印加される直流電圧Ｖ１に第１判定信号Ｓ２を含ませない。これにより、送信部１１は、検出部９により検出された第１判定結果を含む信号（第１判定信号）Ｓ２を第３照明器具４０ｃに送信することが可能になる。なお、本実施形態では、第１判定信号Ｓ２が、第１信号である。また、本実施形態では、第１判定信号Ｓ２が、高周波信号である。高周波信号とは、周波数が数ｋＨｚ〜数ＭＨｚの信号を意味する。
【００８６】
受信部１２は、前段の第１照明器具４０ａの送信部１１から送信された信号（第２判定信号）Ｓ３を受信するように構成されている。なお、本実施形態では、第２判定信号Ｓ３が、第２信号である。
【００８７】
受信部１２は、受信回路１９と、第２信号出力回路２０とを備えている。受信回路１９は、第２判定信号Ｓ３を受信するように構成されている。
【００８８】
第２信号出力回路２０は、受信回路１９の受信結果に基づいた第２検出信号Ｓ４を、第２判定部１４に出力するように構成されている。第２検出信号Ｓ４は、信号レベルがハイレベルとローレベルとの２値信号により構成されている。
【００８９】
また、第２信号出力回路２０は、受信回路１９の受信結果に基づいて、第２検出信号Ｓ４の信号レベルを変化させる。具体的には、第２信号出力回路２０は、受信回路１９で第２判定信号Ｓ３が受信されない場合、第２検出信号Ｓ４の信号レベルをローレベルとする。また、第２信号出力回路２０は、受信回路１９で第２判定信号Ｓ３が受信された場合、第２検出信号Ｓ４の信号レベルをローレベルからハイレベルに変化させる。
【００９０】
フィルタ１３は、第１照明器具４０ａの送信部１１から送信された第２判定信号Ｓ３が、第３照明器具４０ｃに伝達されることを防ぐように構成されている。フィルタ１３は、例えば、ローパスフィルタである。本実施形態では、フィルタ１３は、一対の第１接続端子１ａ，１ｂと、一対の第３接続端子３ａ，３ｂとの間に電気的に接続されている。受信部１２は、一対の第１接続端子１ａ，１ｂと、フィルタ１３との間に電気的に接続されている。送信部１１は、フィルタ１３と、一対の第３接続端子３ａ，３ｂとの間に電気的に接続されている。
【００９１】
第２判定部１４は、検出部９により検出された第１判定結果と、受信部１２で受信された第２判定信号Ｓ３に含まれる判定結果（第２判定結果）とに基づいて、一対の第１接続端子１ａ，１ｂへの配線状態に誤りがあるか否かを判定するように構成されている。具体的には、第２判定部１４は、第１信号出力回路１７から出力された第１検出信号Ｓ１の信号レベルと、第２信号出力回路２０から出力された第２検出信号Ｓ４の信号レベルとに基づいて、一対の第１接続端子１ａ，１ｂへの配線状態に誤りがあるか否かを判定する。第２判定部１４は、排他的論理和の論理回路（ＸＯＲ回路）である。なお、一対の第１接続端子１ａ，１ｂへの配線状態は、一対の第１接続端子１ａ，１ｂと、一対の第２電線６２ａ，６２ｂとが接続された状態を意味する。また、一対の第１接続端子１ａ，１ｂへの配線状態に誤りがあるとは、例えば、一対の第２電線６２ａ，６２ｂと、一対の第１接続端子１ａ，１ｂとの接続が逆であることを意味する。例えば、第２電線６２ａと第１接続端子１ｂとが接続され、かつ、第２電線６２ｂと第１接続端子１ａとが接続された場合を意味する。一方、一対の第１接続端子１ａ，１ｂへの配線状態に誤りがない（配線状態が正しい）とは、第２電線６２ａと第１接続端子１ａとが接続され、かつ、第２電線６２ｂと第１接続端子１ｂとが接続された場合を意味する。また、以下では、説明の便宜上、第１検出信号Ｓ１の信号レベルを「第１信号レベル」と称し、第２検出信号Ｓ４の信号レベルを「第２信号レベル」と称する。
【００９２】
第２判定部１４は、第１信号レベルと第２信号レベルとが同じ信号レベル（例えば、第１信号レベル及び第２信号レベルがローレベル）のとき、ローレベルの信号を出力する。この場合、第２判定部１４は、一対の第１接続端子１ａ，１ｂへの配線状態に誤りがないと判定する。また、第２判定部１４は、第１信号レベルと第２信号レベルとが異なる信号レベル（例えば、第１信号レベルがローレベル、第２信号レベルがハイレベル）のとき、ハイレベルの信号を出力する。この場合、第２判定部１４は、一対の第１接続端子１ａ，１ｂへの配線状態に誤りがあると判定する。
【００９３】
第２通知部１５は、第２判定部１４により一対の第１接続端子１ａ，１ｂへの配線状態に誤りがあると判定されたときに通知するように構成されている。第２通知部１５は、例えば、ＬＥＤである。この場合、第２通知部１５は、第２判定部１４により一対の第１接続端子１ａ，１ｂへの配線状態に誤りがあると判定されたときに、点灯する。また、第２通知部１５は、第２判定部１４により一対の第１接続端子１ａ，１ｂへの配線状態に誤りがないと判定されたときに、点灯しない。
【００９４】
以下、本実施形態の接続装置１０Ａを備えた照明システム１００において、一対の第１接続端子１ａ，１ｂへの配線状態に誤りがあった場合の一例における照明システム１００の動作について、図４及び下記の表１に基づいて説明する。なお、図４の例の照明システム１００では、一対の第３電線６３ａ，６３ｂ及び一対の第４電線６４ａ，６４ｂそれぞれの配線状態に誤りがある。
【００９５】
【表１】
2017121134.tif 000003
【００９６】
図４の例の照明システム１００では、第１照明器具４０ａの第２検出信号Ｓ４及び第１検出信号Ｓ１それぞれの信号レベルがローレベルとなるので、第２判定部１４の出力レベルもローレベルとなる。その結果、第２通知部１５は、点灯しない。これにより、図４の例の照明システム１００では、第１照明器具４０ａの一対の第１接続端子１ａ，１ｂへの配線状態に誤りがないことを通知可能になる。よって、作業者は、第１照明器具４０ａの一対の第１接続端子１ａ，１ｂへの配線状態に誤りがないと判断できる。
【００９７】
また、図４の例の照明システム１００では、第２照明器具４０ｂの第２検出信号Ｓ４及び第１検出信号Ｓ１それぞれの信号レベルがローレベルとなるので、第２判定部１４の出力レベルもローレベルとなる。その結果、第２通知部１５は、点灯しない。これにより、図４の例の照明システム１００では、第２照明器具４０ｂの一対の第１接続端子１ａ，１ｂへの配線状態に誤りがないことを通知可能になる。よって、作業者は、第２照明器具４０ｂの一対の第１接続端子１ａ，１ｂへの配線状態に誤りがないと判断できる。
【００９８】
さらに、図４の例の照明システム１００では、第３照明器具４０ｃの第２検出信号Ｓ４の信号レベルがローレベルとなり、第３照明器具４０ｃの第１検出信号Ｓ１の信号レベルがハイレベルとなるので、第２判定部１４の出力レベルがハイレベルとなる。その結果、第２通知部１５は、点灯する。これにより、図４の例の照明システム１００では、第３照明器具４０ｃの一対の第１接続端子１ａ，１ｂへの配線状態に誤りがあることを通知可能になる。よって、作業者は、第３照明器具４０ｃの一対の第１接続端子１ａ，１ｂへの配線状態に誤りがあると判断できる。
【００９９】
また、図４の例の照明システム１００では、第４照明器具４０ｄの第２検出信号Ｓ４の信号レベルがハイレベルとなり、第４照明器具４０ｄの第１検出信号Ｓ１の信号レベルがローレベルとなるので、第２判定部１４の出力レベルがハイレベルとなる。その結果、第２通知部１５は、点灯する。これにより、図４の例の照明システム１００では、第４照明器具４０ｄの一対の第１接続端子１ａ，１ｂへの配線状態に誤りがあることを通知可能になる。よって、作業者は、第４照明器具４０ｄの一対の第１接続端子１ａ，１ｂへの配線状態に誤りがあると判断できる。
【０１００】
ところで、実施形態１の接続装置１０を備えた照明システム１００では、一対の第３電線６３ａ，６３ｂ及び一対の第４電線６４ａ，６４ｂの配線状態に誤りがある場合、各照明器具４０ａ〜４０ｄの第１通知部７のうち第３照明器具４０ｃの第１通知部７のみが点灯する（表１参照）。これにより、作業者は、一対の第３電線６３ａ，６３ｂの配線状態をやり直すことができる。
【０１０１】
しかしながら、実施形態１の照明システム１００では、一対の第３電線６３ａ，６３ｂの配線状態をやり直した後、第４照明器具４０ｄの接続装置１０の一対の第１接続端子１ａ，１ｂに印加される直流電圧Ｖ１が逆電圧になるので、第４照明器具４０ｄの第１通知部７が点灯する。よって、作業者は、再度、一対の第４電線６４ａ，６４ｂの配線状態をやり直す必要がある。そのため、実施形態１の照明システム１００では、配線工事の作業性を向上させることが難しい。また、実施形態１の照明システム１００では、配線状態に誤りがある箇所を特定することができない。
【０１０２】
一方、本実施形態の照明システム１００では、一対の第３電線６３ａ，６３ｂ及び一対の第４電線６４ａ，６４ｂの配線状態に誤りがある場合、第３照明器具４０ｃ及び第４照明器具４０ｄそれぞれの第２通知部１５が点灯する。これにより、作業者は、一対の第３電線６３ａ，６３ｂ及び一対の第４電線６４ａ，６４ｂの配線状態を、一度にやり直すことができる。よって、本実施形態の照明システム１００では、実施形態１の照明システム１００に比べて、配線工事の作業性を向上させることが可能になる。また、照明システム１００では、配線状態に誤りがある箇所を特定することができる。
【０１０３】
また、以下、接続装置１０Ａを備えた照明システム１００において、一対の第１接続端子１ａ，１ｂへの配線状態に誤りがあった場合の他の例における照明システム１００の動作について、図５及び下記の表２に基づいて説明する。なお、図５の例の照明システム１００では、一対の第１電線６１ａ，６１ｂ及び一対の第３電線６３ａ，６３ｂそれぞれの配線状態に誤りがある。
【０１０４】
【表２】
2017121134.tif 000004
【０１０５】
図５の例の照明システム１００では、第１照明器具４０ａの第２検出信号Ｓ４の信号レベルがローレベルとなり、第１照明器具４０ａの第１検出信号Ｓ１の信号レベルがハイレベルとなるので、第２判定部１４の出力レベルがハイレベルとなる。その結果、第２通知部１５は、点灯する。これにより、図５の例の照明システム１００では、第１照明器具４０ａの一対の第１接続端子１ａ，１ｂへの配線状態に誤りがあることを通知可能になる。よって、作業者は、第１照明器具４０ａの一対の第１接続端子１ａ，１ｂへの配線状態に誤りがあると判断できる。
【０１０６】
また、図５の例の照明システム１００では、第２照明器具４０ｂの第２検出信号Ｓ４及び第１検出信号Ｓ１それぞれの信号レベルがハイレベルとなるので、第２判定部１４の出力レベルがローレベルとなる。その結果、第２通知部１５は、点灯しない。これにより、図５の例の照明システム１００では、第２照明器具４０ｂの一対の第１接続端子１ａ，１ｂへの配線状態に誤りがないことを通知可能になる。よって、作業者は、第２照明器具４０ｂの一対の第１接続端子１ａ，１ｂへの配線状態に誤りがないと判断できる。
【０１０７】
さらに、図５の例の照明システム１００では、第３照明器具４０ｃの第２検出信号Ｓ４の信号レベルがハイレベルとなり、第３照明器具４０ｃの第１検出信号Ｓ１の信号レベルがローレベルとなるので、第２判定部１４の出力レベルがハイレベルとなる。その結果、第２通知部１５は、点灯する。これにより、図５の例の照明システム１００では、第３照明器具４０ｃの一対の第１接続端子１ａ，１ｂへの配線状態に誤りがあることを通知可能になる。よって、作業者は、第３照明器具４０ｃの一対の第１接続端子１ａ，１ｂへの配線状態に誤りがあると判断できる。
【０１０８】
また、図５の例の照明システム１００では、第４照明器具４０ｄの第２検出信号Ｓ４及び第１検出信号Ｓ１それぞれの信号レベルがローレベルとなるので、第２判定部１４の出力レベルもローレベルとなる。その結果、第２通知部１５は、点灯しない。これにより、図５の例の照明システム１００では、第４照明器具４０ｄの一対の第１接続端子１ａ，１ｂへの配線状態に誤りがないことを通知可能になる。よって、作業者は、第４照明器具４０ｄの一対の第１接続端子１ａ，１ｂへの配線状態に誤りがないと判断できる。
【０１０９】
ところで、実施形態１の照明システム１００では、一対の第１電線６１ａ，６１ｂ及び一対の第３電線６３ａ，６３ｂの配線状態に誤りがある場合、各照明器具４０ａ〜４０ｄの第１通知部７のうち第１照明器具４０ａ及び第２照明器具４０ｂそれぞれの第１通知部７が点灯する（表２参照）。これにより、作業者は、一対の第１電線６１ａ，６１ｂの配線状態をやり直すことができるが、一対の第２電線６２ａ，６２ｂの配線状態もやり直すことになる。すなわち、実施形態１の照明システム１００では、一対の第２電線６２ａ，６２ｂの配線状態に誤りがないにも関わらず、一対の第２電線６２ａ，６２ｂの配線状態をやり直すことになる。その結果、実施形態１の照明システム１００では、配線工事の作業性を向上させることが難しい。
【０１１０】
一方、本実施形態の照明システム１００では、一対の第１電線６１ａ，６１ｂ及び一対の第３電線６３ａ，６３ｂの配線状態に誤りがある場合、第１照明器具４０ａ及び第３照明器具４０ｃそれぞれの第２通知部１５が点灯する。これにより、作業者は、一対の第１電線６１ａ，６１ｂ及び一対の第３電線６３ａ，６３ｂの配線状態をやり直すことができる。よって、本実施形態の照明システム１００では、実施形態１の照明システム１００に比べて、配線工事の作業性を向上させることが可能になる。
【０１１１】
以上説明したように、本実施形態の接続装置１０Ａを備えた照明システム１００において、複数台の照明器具４０は、互いに電気的に接続されている。複数台の照明器具４０の各々の接続装置１０Ａは、第１判定部（判定部）４と、検出部９と、送信部１１と、受信部１２と、フィルタ１３と、第２判定部１４と、第１通知部（通知部）７と、第２通知部１５と、一対の第３接続端子３ａ，３ｂとを備えている。検出部９は、第１判定部４の判定結果である第１判定結果を、検出するように構成されている。送信部１１は、検出部９により検出された第１判定結果を含む信号である第１信号（第１判定信号）Ｓ２を、後段の照明器具４０に送信するように構成されている。受信部１２は、前段の照明器具４０の送信部１１から送信された信号である第２信号（第２判定信号）Ｓ３を、受信するように構成されている。フィルタ１３は、前段の照明器具４０の送信部１１から送信された第２信号Ｓ３が後段の照明器具４０に伝達されることを防ぐように構成されている。第２判定部１４は、検出部９により検出された第１判定結果と、受信部１２で受信された第２信号Ｓ３に含まれる判定結果である第２判定結果とに基づいて、一対の第１接続端子１ａ，１ｂへの配線状態に誤りがあるか否かを判定するように構成されている。第２通知部１５は、第２判定部１４により一対の第１接続端子１ａ，１ｂへの配線状態に誤りがあると判定されたときに通知するように構成されている。一対の第３接続端子３ａ，３ｂは、一対の第１接続端子１ａ，１ｂにそれぞれ直接的に接続されている。複数台の照明器具４０の各々の一対の第３接続端子３ａ，３ｂは、別の照明器具４０の一対の第１接続端子１ａ，１ｂと電気的に接続されている。
【０１１２】
この構成によれば、本実施形態の接続装置１０Ａを備えた照明システム１００では、実施形態１の照明システム１００に比べて、配線工事の作業性を向上させることが可能になる。また、本実施形態の照明システム１００では、一対の第１接続端子１ａ，１ｂへの配線状態に誤りがある箇所を特定することができる。
【０１１３】
なお、送信部１１は、第１検出信号Ｓ１の信号レベルがハイレベルのとき、一対の第３接続端子３ａ，３ｂに印加される直流電圧Ｖ１に第１判定信号Ｓ２を含ませるように構成されているが、この構成に限らない。送信部１１は、第１判定信号Ｓ２を、一対の第３接続端子３ａ，３ｂへ送信するように構成されていてもよい。この場合、一対の第３接続端子３ａ，３ｂは、信号線を電気的に接続する信号端子を、さらに備える。信号線は、第１判定信号Ｓ２を伝送する線である。
【０１１４】
また、送信部１１は、第１判定信号Ｓ２を、直接、後段の照明器具４０へ送信するように構成されていてもよい。この場合、送信部１１は、例えば、赤外線または電波を媒体とする無線通信を利用して第１判定信号Ｓ２を後段の照明器具４０に送信する。
【０１１５】
電源回路１８は、検出部９の内部に設けられているが、これに限らない。電源回路１８は、送信部１１、第２判定部１４及び第２通知部１５のうちのいずれかの内部に設けられていてもよい。また、電源回路１８は、単独で、接続装置１０Ａの内部に設けられていてもよい。
【０１１６】
第２通知部１５は、ＬＥＤに限らず、例えば、ブザーまたはスピーカ等であってもよい。また、第２通知部１５は、例えば、バイブレータ等であってもよい。これらの場合、電源回路１８は、動作電圧を第２通知部１５に供給するように構成される。
【符号の説明】
【０１１７】
１ａ，１ｂ  一対の第１接続端子
２ａ，２ｂ  一対の第２接続端子
３ａ，３ｂ  一対の第３接続端子
４  判定部（第１判定部）
５  第１保護素子
６  第２保護素子
７  通知部（第１通知部）
８  限流素子
９  検出部
１０  接続装置
１０Ａ  接続装置
１１  送信部
１２  受信部
１３  フィルタ
１４  第２判定部
１５  第２通知部
２１  電源装置
３０  照明装置
３１  発光装置
３２  光源
３５  筐体
４０  照明器具
１００  照明システム
【図１】
2017121134.tif 000005
【図２】
2017121134.tif 000006
【図３】
2017121134.tif 000007
【図４】
2017121134.tif 000008
【図５】
2017121134.tif 000009